(57)【要約】【課題】  遊技場」、飲食店、商店等において、華やかさや賑やかさを演出するために設置するに適した装飾装置を提供すること。【解決手段】  パチンコ台の機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートを備え、該プレートの上下中間部には当該２枚のプレートを互いに連結する水平な支持軸が設けられ、前記装飾パネルは、起立状態で前記ベース上に載置されるパネル本体と、該パネル本体の基部から斜め上方に向かって突出する係合部とを備え、該係合部と前記パネル本体との間に前記支持軸が嵌り込む概略Ｖ状の溝が形成されているとともに、前記係合部の上下幅は、前記支持軸とベースとの間を通る大きさに形成されている装飾装置。【選択図】      図１
2014126635.tif 000002
【特許請求の範囲】
【請求項１】
機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートを備え、該プレートの上下中間部には当該２枚のプレートを互いに連結する水平な支持軸が設けられ、前記装飾パネルは、起立状態で前記ベース上に載置されるパネル本体と、該パネル本体の基部から斜め上方に向かって突出する係合部とを備え、該係合部と前記パネル本体との間に前記支持軸が嵌り込む概略Ｖ状の溝が形成されているとともに、前記係合部の上下幅は、前記支持軸とベースとの間を通る大きさに形成されていることを特徴とする装飾装置。
【請求項２】
係合部とパネル本体の連結部の下面には、丸み付が施されている請求項１に記載の装飾装置。
【発明の詳細な説明】
【技術分野】
【０００１】
本発明は、遊技場、食堂、喫茶店、商店等において、華やかさや賑やかさを演出するために設置するに適した装飾装置に関するものである。
【背景技術】
【０００２】
パチンコ店等の遊技場では、のぼり、旗、ペナント、プレート、パネル、人形、置物、幕等の装飾具でホール内を賑やかに装飾することがしばしば行われている。例えば、クリスマスが近くなるとクリスマスツリーやサンタクロース人形が飾られ、正月には大型の扇子や迎春パネル等が飾られことが多い。
【０００３】
これらの他に、パチンコ店等の遊技場用のホールの装飾としては、例えば下記特許文献１及び特許文献２に記載されているものがある。
【０００４】
上記特許文献１に記載のものは、パチンコ店等のホールの諸設備に、装飾シート、ＬＥＤ表示、ＴＶディスプレイ、映像投影装置等の表示内容が変更可能な表示媒体を用いて、静止画像または動画像による表示または装飾を施すものである。また、上記特許文献２に記載のものは、パチンコ台等が設置される遊技島設備であって、有機エレクトロルミネッセンス材料（ＥＬ材料）に電圧を印加させて発光させることにより表示態様を変化させることが可能な有機ＥＬパネルの表示領域を、前記遊技機の上方を被覆する幕板に設けたものである。
【０００５】
上記特許文献１または特許文献２に記載のものは、電気的に表示内容が変更可能な情報または模様を表示するもので、各遊技機の装飾としては、便利なものであるが、遊技機等に組み込まれているため、新装開店、クリスマス、正月等の短期間の催しにおけるホール内のデコレーションには適していないものである。一方、催し用の装飾として、広く採用されている装飾手段、例えば、上記した旗、のぼり、装飾パネル等は、何らかの支持手段でホール等に飾り付ける必要がある。従来、旗、のぼり等は、それを取り付けた竿の基部を筒状の固定金具に挿入して取り付けているので、比較的簡単に飾りつけることができる。また、ポスターやパネルは、ホールの壁面等に貼り付けるだけでよいので、これも比較的簡単に飾り付けることができた。しかしながら、異形の装飾パネル、例えば、空間に伸び出す細長いアーチ状のパネル等は、壁に貼り付けるわけにはいかないので、その支持方法が難しかった。
【０００６】
また、この種のパネルは、他のデザインのものと時々取り替えて、飽きがこないようにするのが望ましいが、従来の装置では、パネルの保持方法自体が難しかったので、これを簡単に交換することができないという問題点があった。このような問題点を解決するものとして、本願出願人は特許文献３に示すような装飾装置を開発し、実用している。この装飾装置は、機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートからなり、該プレートの上下中間部には当該２枚のプレートを互いに連結する水平な支持軸が設けられ、前記パネルの基部には、前記ベース上に載置される支持面と、前記支持軸が嵌合する上に開いた凹部とが形成されていることを特徴とするものので、一方の端部を基部として、他方の先端部が例えばアーチ状に伸び出すような異形のパネルを壁面を利用せずに飾る場合でも、比較的簡単に飾り付けることができ、しかも交換が容易な装飾装置となっている。
【先行技術文献】
【特許文献】
【０００７】
【特許文献１】特開２００２−３６０９０８号公報
【０００８】
【特許文献２】特開２００４−８５８９号公報
【０００９】
【特許文献３】特開２００６−２５５１８３号公報
【発明の概要】
【発明が解決しようとする課題】
【００１０】
上記特許文献３に記載の装飾装置は、パネル状の装飾体を容易に取付けることができ、交換も容易なものであるが、パネルの基部に上に開いた凹部を形成しておき、この凹部に支持軸を嵌合するものであるから、構造的に複雑で、着脱にも手間がかかり、うまく嵌合するにはちょっとしたコツが必要であるという問題点があった。そこで、本発明は、この装飾装置をさらに改良し、構造的に簡単で、着脱作業をより簡単かつ確実にできる装飾装置を提供することを課題としている。
【課題を解決するための手段】
【００１１】
上記課題を解決するため、本発明は次のような構成を採用した。すなわち、請求項１に記載の本発明に係る装飾装置は、機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートを備え、該プレートの上下中間部には当該２枚のプレートを互いに連結する水平な支持軸が設けられ、前記装飾パネルは、起立状態で前記ベース上に載置されるパネル本体と、該パネル本体の基部から斜め上方に向かって突出する係合部とを備え、該係合部と前記パネル本体との間に前記支持軸が嵌り込む概略Ｖ状の溝が形成されているとともに、前記係合部の上下幅は、前記支持軸とベースとの間を通る大きさに形成されていることを特徴とする。
また、請求項２に記載の装飾装置は、請求項１に記載の装飾装置において、係合部とパネル本体の連結部の下面に丸み付けが施されているものである。
【発明の効果】
【００１２】
請求項１に記載の本発明は、装飾パネルを保持する保持具を遊技機の機枠やテーブル等、任意の構造物に固定して使用する。この保持具の２枚のプレートの間に所定の肉厚の装飾パネルの基部を挿入するが、このとき、装飾パネルの本体から側方に突出する係合部を支持軸の下側を通して挿入する。これにより、装飾パネルの基部下面がベース上に載置され、突出部が支持軸に係合した状態で保持される。
【００１３】
係合部は先端側が高く、基部すなわちパネル本体側が低くなるように傾斜しているので、支持軸の下側を通すときに係合部の先端側が低くなるように若干回転させて挿入すると簡単に挿入でき、しかも挿入した後はパネル本体の自重により係合部の先端部が高くなる状態に復帰するので、支持軸と係合部の係合が外れることはなく、装飾パネルが保持具によってしっかりと保持されるのである。
【００１４】
また、請求項２に記載の装飾装置は、上記請求項１に記載の装飾装置において、前記係合部とパネル本体の連結部の下面に丸み付けが施されているので、パネルの着脱を簡単かつ円滑に行うことができる。すなわち、装飾パネルの取り付け時や取り外し時に、突出部の先端部が低くなって水平状態となるように回転させる必要があるが、このとき、基部のコーナー部（係合部と本体の連結部）に丸み付けが施されているので、パネルのコーナー部がベース上面に引っ掛からず、円滑に回転させることができるのである。
【図面の簡単な説明】
【００１５】
【図１】アーチ型の装飾パネルを取付けた状態をあらわす正面図である。
【図２】装飾装置の保持具の斜視図である。
【図３】装飾パネル取り付け状態を表す要部の拡大正面図である。
【図４】装飾パネルの取付け方法を表す説明図で、（ａ）は係合部を差し込む状態を、（ｂ）は差し込んだ装飾パネルを回転させて係合部を支持軸に係合させる状態を表わす。
【発明を実施するための最良の形態】
【００１６】
以下、図面に表された本発明の実施形態について説明する。この装飾装置１は、図１に示すように、保持具２と装飾パネル（以下、「パネル」と略すこともある）３とで構成される。保持具２は、図２、図３に示すように、平板状のベース５を備え、該ベースの中央部に２枚のプレート６，６が所定の間隔で平行に立設されている。２枚のプレート６，６は、例えば透明なアクリル樹脂の板であり、その厚みｔは数ｍｍ、例えば３ｍｍ程度であり、両プレート６，６の間隔ｓは、パネル３の肉厚よりも僅かに大きい程度、例えば６ｍｍ程度である。パネル３の基部の側部には斜め上向きに突出する係合部１０が一体に形成されている。
【００１７】
上記２枚のプレート６，６の間には、支持軸７が差し渡されて固定されている。支持軸７の材質もプレート６と同じであり、本実施形態ではアクリル樹脂の丸棒（パイプでもよい）である。支持軸７の外径は、パネル３の係合部１０の付け根部の上側に係合して該パネルを支持できる大きさであり、例えば１２ｍｍである。プレート６におけるこの支持軸７の上下位置は、プレート６の上下中間部の下寄りの位置であり、幅方向の位置は、プレート６の中央部やや左寄りの位置である。
【００１８】
ベース５は例えば黒色に着色されたアクリル樹脂板であり、厚みは適度の強度が得られる厚み、例えば５ｍｍ程度である。このベース５には、固定手段として、複数の固定ボルト挿通用の穴９，…が開けられている。上記プレート６、ベース５等の材質としては、合成樹脂が最も好ましいが、場合によっては、金属、木材等を用いることも可能である。
【００１９】
図示例のパネル３は、上部が保持具の外にはみ出すような形状であり、上端部には重りを兼ねた装飾体（図示例では花）が取付けられており、その下部の側縁部には、側方に突出する屈曲形状の係合部１０が一体に成形されている。この係合部１０は、パネル本体の下部から斜め上向きに突出しており、その上面１０ａと下面１０ｂは、起立状態においてパネル本体側が低くなる傾斜面となっている。このため、係合部１０とパネル本体との間にＶ状の溝１１が形成される。なお、係合部１０の下側コーナー部、すなわち係合部１０とパネル本体との連結部の下側部分には、適当な大きさ（パネルをベース５上で円滑に回転させることができる大きさ）の丸み付け１３が施されている。
【００２０】
この装飾装置１は、図１に示すように、保持具２を例えばパチンコ台２０の機枠上面等（他の構造物の固定面でもよい）に設置して使用される。保持具２は、ボルト挿通用の穴９に挿入したボルトやビスでそれを載置している機枠等の面に固定する。この固定は比較的簡単である。
【００２１】
保持具２を固定したら、これにパネル３の基部を取り付ける。この取り付けは、図４（ａ）に示すように、パネル３の係合部１０の上面１０ａをほぼ水平状態になるようにした状態で支持軸７に向けて両プレート６，６間に挿入し、支持軸７を係合部１０の付け根部に位置させた後、図４（ｂ）に示すように、パネル３の本体自由端部を下向きに所定角度回転させて、支持軸７を係合部１０の付け根の上面に形成されたＶ溝底部に嵌合させる。係合部１０とパネル本体との連結部の下面には丸み付け１３が施されているので、回転時に基部下端部のコーナー部がベース５の上面に引っ掛かることなく、円滑に回転させることができる。この回転により、パネル３の基部の下側の支持面１２がベース上に載った状態となり、該ベースと支持軸７によってパネル３が固定される。基部の水平な支持面１２がベース５の上面に載置され、Ｖ溝１１に嵌合した支持軸７によって端部が押えられた状態となるので、パネル３が片持梁状に延出していて、図１の時計回り方向の力が作用する場合でも、該パネルは回転せず、確実に固定されるのである。
【００２２】
また、パネル３を交換するときは、該パネル３の先端部を上向き（図３における反時計回り方向）に押し上げることにより、係合部１０の上面を水平状態とし、そのまま図３の右向きに引き出せばよい。すると、支持軸７が係合部１０から逸脱するので、パネル３を簡単に引き出すことができる。パネル３の着脱操作は極めて簡単である。このため、デザインの異なるパネルを頻繁に交換して、飽きがこないようにすることができる。
【００２３】
なお、図示例では、保持具２をパチンコ台の天井面に取り付けたが、他の遊技機に取り付けてもよく、建造物や他の大型装置の機枠やテーブルに取り付けてもよい。また、ベースの固定手段として、図示例ではボルトを採用しているが、簡単なバイスや針金等、他の固定方法で固定してもよい。さらに、図に示すパネル３は、基部から斜め上向きに伸び出すアーチ状のパネルであるが、他の適当な形状のパネルを使用することもできる。また、パネル本体の適所に鈴、ペンダント等の重りとなる物体を取付けておき、該パネル本体に図２における時計回りの力が作用するようにすれば、パネル本体がより安定して保持される。
【００２４】
本発明に係る装飾装置は、合成樹脂等を材料として工業生産的に製造できるもので、遊技店等の装飾用に効果的に使用することができる。
【符号の説明】
【００２５】
１        装飾装置
２        保持具
３        装飾パネル
５        ベース
６        プレート
７        支持軸
１０        係合部
１１        Ｖ溝
２０        パチンコ台
【図１】
2014126635.tif 000003
【図２】
2014126635.tif 000004
【図３】
2014126635.tif 000005
【図４】
2014126635.tif 000006